(57)【要約】【課題】ＰＣによる画像処理や印刷時に画像の補正が可能かどうか撮影直後に知ることができるデジタルカメラを提供する。【解決手段】保存された画像を表示する画像表示部と、再生画を拡大または拡大画像をスクロールさせる操作部と、再生画の階調補正を行う画像処理部と、再生画像における輝度のヒストグラムを演算するヒストグラム演算部を有する。そして、保存された画像を前記操作部により前記画像表示部に拡大表示し、拡大表示された画像を前記画像処理部により階調補正し、階調補正された画像のヒストグラムを前記ヒストグラム演算部により求めるとともに、前記画像表示部に表示する。【選択図】図２
2007295262.tif 000002
【特許請求の範囲】
【請求項１】
表示部に画像を表示する画像表示手段と、
前記表示部に表示する前記画像の範囲を変更する表示範囲変更手段と、
前記表示範囲変更手段によって変更された表示画像の階調補正を行う階調補正手段と、
前記階調補正手段によって階調補正が行われた画像のヒストグラムを求めて前記表示部に表示するヒストグラム表示手段とを備えたことを特徴とする画像表示装置。
【請求項２】
前記表示範囲変更手段による表示画像の変更は、前記画像の拡大または拡大した画像の表示位置変更であることを特徴とする請求項１に記載の画像表示装置。
【請求項３】
前記表示範囲変更手段によって変更された表示画像のヒストグラムを算出する手段を有し、
前記ヒストグラム表示手段は、前記階調補正手段による階調補正前のヒストグラムと共に階調補正手段による階調補正後のヒストグラムを前記表示部に表示することを特徴とする請求項１または２に記載の画像表示装置。
【請求項４】
前記表示範囲変更手段によって変更される前の表示画像のヒストグラムを算出する手段を有し、
前記ヒストグラム表示手段は、前記表示範囲変更手段によって変更される前の表示画像のヒストグラムと共に前記階調補正手段による階調補正後のヒストグラムを前記表示部に表示することを特徴とする請求項１ないし３の何れかに記載の画像表示装置。
【請求項５】
前記ヒストグラム表示手段は、前記階調補正手段による階調補正後のヒストグラムを、前記階調補正手段による階調補正前のヒストグラムと異なる色または表示形式で前記表示部に表示することを特徴とする請求項３または４に記載の画像表示装置。
【請求項６】
前記ヒストグラム表示手段は、所定の輝度範囲を拡大して表示することを特徴とする請求項１ないし５のいずれかに記載の画像再生装置。
【請求項７】
表示部に画像を表示する画像再生手段と、前記表示部に表示する前記画像の範囲を変更する表示範囲変更手段とを有する画像表示装置の制御方法であって、
前記表示範囲変更手段によって変更された表示画像の階調補正を行う階調補正工程と、
前記階調補正工程によって階調補正が行われた画像のヒストグラムを求めて前記表示部に表示するヒストグラム表示工程とを実行することを特徴とする画像再生装置の制御方法。
【請求項８】
表示部に画像を表示する画像再生手段と、前記表示部に表示する前記画像の範囲を変更する表示範囲変更手段とを有する画像表示装置の制御方法を実行するための、コンピュータで読み取り可能な制御プログラムであって、
前記表示範囲変更手段によって変更された表示画像の階調補正を行う階調補正ステップと、
前記階調補正ステップによって階調補正が行われた画像のヒストグラムを求めて前記表示部に表示するヒストグラム表示ステップとを備えたことを特徴とする制御プログラム。
【発明の詳細な説明】
【技術分野】
【０００１】
本発明は、デジタルカメラ等の画像再生装置及びその制御方法、並びに前記制御方法を実現するための制御プログラムに関する。
【背景技術】
【０００２】
従来のデジタルカメラは、液晶ディスプレイを備え、撮影中の動画を表示したり、記録媒体に記録した画像データからの再生画像（静止画像）を表示したりすることができるように構成されている。しかし、人物の集合撮影や風景などの遠景を撮影した画像に対して撮影物の確認を行う際、小型で解像度（階調表現性）の低い液晶ディスプレイで撮影物を特定することは、困難であった。
【０００３】
このような問題に対処するために、記録された画像を再生する際、撮影画像の一部を拡大表示（ズーム表示）する機能を持つカメラが提案されている（例えば、特許文献１参照）。しかしながら、風景など撮影した画像は、空のような輝度の高い個所から暗部の輝度の低い個所が有るのが通常であり、上記提案のような拡大表示機能をもってしても、液晶ディスプレイの階調表現性が低いため、壁などは階調性の有無を確認することはできない。したがって撮影物を特定することは困難である。
【０００４】
また、高い階調表現可能なプリンタ等にパーソナルコンピュータ（以下、パソコンと記す）を介さずダイレクトに印刷を行うような場合では、印刷してからでないと撮影した画像の階調の有無を確認できなかった。
【０００５】
そこで、パソコンやプリンタを用いずに撮影した画像の階調の有無を確認するために、従来では種々の方法が用いられている。例えば、撮影後に画像に対し領域を指定して階調補正を行う方法や、撮影画像のヒストグラムを表示する方法などがある。ヒストグラムの表示法としては、特許文献２では、画像の選択領域のヒストグラムの分布範囲に応じて、ヒストグラムの表示領域を自動的に拡大・縮小させる方法が提案されている。また、特開２００３−１２５２４０号公報では、特定の選択領域と全体画像のヒストグラムを同時に演算、表示できる方法が提案されている。
【特許文献１】特開平１０−３３６４９４号公報
【特許文献２】特開平７−１３４７７７号公報
【特許文献３】特開２００３−１２５２４０号公報
【発明の開示】
【発明が解決しようとする課題】
【０００６】
しかしながら、上記公報の技術では、例えば拡大画像の階調補正を行う場合、階調補正を行った画像に階調性が残っているかどうかを定量的に判断することができない。また、特許文献２のように、指定領域の表示範囲をただ拡大するだけでは、輝度の分布が狭い場合に、その指定領域に階調性が残っているかどうかを確認することができない。
【０００７】
このように、上記従来技術では、撮影画像に階調性が残っているかどうかを定量的に判断することができないため、パソコン等による画像処理時や印刷時に画像の補正が可能かどうかを撮影直後に知ることはできなかった。
【０００８】
本発明の目的は、上記問題点を解決するため、ユーザが画像の階調性の有無を定量的に判断することを可能にし、画像処理時や印刷時に画像の補正が可能であるかを簡単に知ることができる画像再生装置及びその制御方法、並びに制御プログラムを提供することである。
【課題を解決するための手段】
【０００９】
本発明は上記目的を達成するため、表示部に画像を表示する画像表示手段と、前記表示部に表示する前記画像の範囲を変更する表示範囲変更手段と、前記表示範囲変更手段によって変更された表示画像の階調補正を行う階調補正手段と、前記階調補正手段によって階調補正が行われた画像のヒストグラムを求めて前記表示部に表示するヒストグラム表示手段とを備えたことを特徴とする。
【００１０】
また、本発明は、表示部に画像を表示する画像再生手段と、前記表示部に表示する前記画像の範囲を変更する表示範囲変更手段された表示画像を操作するための操作手段とを有する画像表示再生装置の制御方法であって、前記表示範囲変更操作手段によって操作変更された表示画像の階調補正を行う階調補正工程と、前記階調補正工程によって階調補正が行われた画像のヒストグラムを求めて前記表示部に表示するヒストグラム表示工程とを実行することを特徴とする。
【００１１】
また、本発明は、表示部に画像を表示する画像再生手段と、前記表示部に表示する前記画像の範囲を変更する表示範囲変更手段とを有する画像表示装置の制御方法を実行するための、コンピュータで読み取り可能な制御プログラムであって、前記表示範囲変更手段によって変更された表示画像の階調補正を行う階調補正ステップと、前記階調補正ステップによって階調補正が行われた画像のヒストグラムを求めて前記表示部に表示するヒストグラム表示ステップとを備えたことを特徴とする。
【発明の効果】
【００１２】
本発明によれば、表示画像に階調性が残っているかどうかを視覚的なデータとして定量的にユーザに提供することが可能になる。これにより、ユーザは、画像処理時や印刷時に画像の補正が可能かどうかを容易に確認することが可能になる。
【発明を実施するための最良の形態】
【００１３】
以下、図面を参照して本発明の実施の形態を説明する。
【００１４】
［第１の実施の形態］
＜画像再生装置の構成＞
図１は、本発明の実施の形態に係る画像再生装置の構成を示すブロック図である。
【００１５】
図１において、３８は、画像再生装置を構成するデジタルカメラである。デジタルカメラ３８は、保護部であるバリア１、撮影レンズ２、絞り機能を備えるシャッタ３、及び光学像を電気信号に変換する撮像素子４を有している。そして、撮像素子４の出力側には、Ａ／Ｄ変換器５と画像処理回路６が順次接続されている。Ａ／Ｄ変換器５は、撮像素子４のアナログ信号出力をデジタル信号に変換し、画像処理回路６は、Ａ／Ｄ変換器５からのデータに対して所定の画素補間処理や色変換処理を行う。
【００１６】
１３は絞り機能を備えるシャッタ３を制御する露光制御部である。１４は撮影レンズ２の撮影倍率を制御するフォーカス制御部、１５は撮影レンズ２のズーミングを制御するズーム制御部、１６はバリアである保護部１の動作を制御するバリア制御部である。画像処理回路６は、撮像した画像データに対して所定の演算処理を行う。そして、その演算結果に基づいて、システム制御回路４０は、露光制御部１３及びフォーカス制御部１４に対して次のような処理を行う。即ち、システム制御回路４０は、ＴＴＬ（スルー・ザ・レンズ）方式のＡＦ（オートフォーカス）処理、ＡＥ（自動露出）処理、ＥＦ（フラッシュプリ発光）処理、及びＡＷＢ（オートホワイトバランス）処理を行っている。
【００１７】
２２はデジタルカメラ３８の回転角を検出する傾斜センサであり、ジャイロや圧電素子等からなる。傾斜センサ２２から検出した回転角を用いて、システム制御回路４０で所定の演算処理を行うことにより、デジタルカメラのブレ量を求めることができる。
【００１８】
１８は電源制御部であり、電池検出回路、ＤＣ−ＤＣコンバータ、及び通電するブロックを切り替えるスイッチ回路等により構成されている。そして、電池の装着の有無や電池残量の検出を行い、その検出結果及びシステム制御回路４０の指示に基づいてＤＣ−ＤＣコンバータを制御し、必要な電圧を必要な期間、記録媒体を含む各部へ供給する。１９、２０はコネクタ、２１はアルカリ電池やリチウム電池等の一次電池やＮｉＣｄ電池やＮｉＭＨ電池、Ｌｉ電池等の二次電池、ＡＣアダプター等からなる電源部である。
【００１９】
１１は撮影した静止画像や動画像を格納するためのメモリであり、Ａ／Ｄ変換器５のデータは画像処理回路６を介してメモリ１１に書き込まれる。メモリ１１は所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ１１に対して行うことが可能となる。また、メモリ１１は、システム制御回路４０の動作用の定数、変数、プログラムの記憶及び作業領域としても使用することが可能である。
【００２０】
９は電気的に消去・記録可能な不揮発性メモリであり、例えばＥＥＰＲＯＭ等が用いられる。１２は適応離散コサイン変換（ＡＤＣＴ）等により画像データを圧縮伸長する圧縮・伸長回路であり、メモリ１１に格納された画像を読み込んで圧縮処理或いは伸長処理を行い、処理を終えたデータをメモリ１１に書き込む。
【００２１】
３２及び３５はメモリカードやハードディスク等の記録媒体３６とのインタフェース、３３及び３４はメモリカードやハードディスク等の記録媒体と接続を行うコネクタである。２６、２７、２８、２９及び３０は、システム制御回路４０の各種の動作指示を入力するための操作部であり、スイッチやダイアル、タッチパネル、視線検知によるポインティング、音声認識装置等の単数或いは複数の組み合わせで構成される。
【００２２】
２６は各種ボタンやタッチパネル等からなる操作部である。操作部２６には、メニューボタン、セットボタン、マクロボタン、マルチ画面再生改ページボタン、フラッシュ設定ボタン、及び単写／連写／セルフタイマー切り替えボタンが配置されている。その他にも、メニュー移動＋（プラス）ボタン、及びメニュー移動−（マイナス）ボタン、再生画像移動＋（プラス）ボタン、再生画像−（マイナス）ボタン、撮影画質選択ボタン、露出補正ボタン、及び日付／時間設定ボタン等も配置されている。
【００２３】
２７はクイックレビュー・オン／オフスイッチであり、撮影直後に撮影した画像データを自動再生するクイックレビュー機能を設定する。２８は画像表示オン／オフスイッチであり、表示装置８のオン／オフを設定することができる。シャッタスイッチは２段階ストロークで構成され、２９はシャッタスイッチＳＷ２であり、シャッタボタン４１の操作完了でオンとなる。そして、シャッタスイッチＳＷ２は、撮像素子４から読み出した信号をメモリ１１に書き込む露光処理、画像処理回路６による現像処理、及びメモリ１１内の画像データを記録媒体３７に書き込む処理という一連の処理の動作開始を指示する。
【００２４】
３０はシャッタスイッチＳＷ１であり、シャッタボタン４１の操作途中でオンとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。３１はモードダイアルスイッチであり、電源オフ、自動撮影モード、撮影モード、パノラマ撮影モード、再生モード、マルチ画面再生・消去モード、ＰＣ接続モード等の各機能モードを切り替え設定することができる。
【００２５】
８はＴＦＴ  ＬＣＤ等から成る表示装置であり、メモリ１１に書き込まれた表示用の画像データはドライバ７を介して表示装置８により表示される。表示装置８を用いて撮像した画像データを逐次表示すれば、電子ファインダ機能を実現することが可能である。他に表示するものとしては、シングルショット／連写撮影表示、セルフタイマー表示、圧縮率表示、記録画素数表示、記録枚数表示、残撮影可能枚数表示、及びシャッタスピード表示がある。さらには、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体３６の着脱状態表示、通信Ｉ／Ｆ動作表示、日付・時刻表示、等もある。また、光学ファインダ１０内に表示するものとしては、合焦表示、手振れ警告表示、フラッシュ充電表示、シャッタスピード表示、絞り値表示、露出補正表示、等がある。また、表示装置８は、システム制御回路４０の指示により任意に表示をオン／オフすることが可能であり、表示をオフにした場合にはデジタルカメラ３８の電力消費を大幅に低減することができる。
【００２６】
２３は通信部であり、ＲＳ２３２ＣやＵＳＢ、ＩＥＥＥ１３９４、Ｐ１２８４、ＳＣＳＩ、モデム、ＬＡＮ、無線通信、等の各種通信機能を有する。２４は通信部２３によりデジタルカメラ３８を他の機器と接続するコネクタ或いは無線通信の場合はアンテナである。
【００２７】
＜第１の実施の形態に係るメイン処理＞
次に、上述のように構成されるデジタルカメラの再生モード時のメイン処理について、図２及び図３を参照しつつ説明する。
【００２８】
図２は、第１実施の形態に係るデジタルカメラの再生モード時の処理を示すフローチャートである。図３（ａ），（ｂ），（ｃ）は、表示装置８に表示された再生画像とそのヒストグラムを示す画面図である。
【００２９】
ユーザはまず、ステップＳ１０１でデジタルカメラの電源を入れ、次のステップＳ１０２でデジタルカメラを再生モードに設定する。さらにステップＳ１０３では、画像補正モードに設定するかどうかを選択する。モードの選択はモードダイアル３１を用いて行う。
【００３０】
画像補正モードに設定しない場合は、ステップＳ１０４へ進んで通常の画像表示を行う。一方、ユーザが画像補正モードに設定することを選択したら、図３（ａ）に示すように、システム制御部４０は、ユーザが選択した画像１４４の全体のヒストグラム１４１を表示する。
【００３１】
ユーザが操作部２６により、表示装置８に表示された画像１４４の拡大操作を行い、その拡大画像をスクロールさせると（ステップＳ１０５）、システム制御部４０の処理は、次のステップＳ１０６へ進む。ステップＳ１０６において、システム制御部４０は、前記拡大／スクロール操作によって表示装置８に表示された画像１４４のヒストグラムの算出処理を行う。この算出処理で得られたヒストグラム１４２は、続くステップＳ１０７において、図３（ｂ）に示すように、拡大表示前の画像のヒストグラム１４１と並べて表示装置８に表示される。前記ヒストグラム１４２は、拡大／スクロール操作に応じて変化して表示装置８に常に表示される。
【００３２】
次のステップＳ１０８において、システム制御部４０は、拡大／スクロール操作により表示装置８に表示されている画像１４４の階調補正を行い、そして、ステップＳ１０９において、階調補正された画像１４４のヒストグラムを算出する。即ち、拡大表示された画像を操作部２６によりスクロール操作させ、スクロール操作ごとに表示装置８に表示されている画像の階調補正を行うとともに、そのヒストグラムを更新して表示することができる。
【００３３】
その後のステップＳ１１０において、システム制御部４０は、図３（ｃ）に示すように、静止画全体のヒストグラム１４１と階調補正前後のヒストグラム１４２，１４３を表示装置８に表示する。このとき、階調補正前のヒストグラム１４２と階調補正後のヒストグラム１４３を、識別し易いように表示色を変化させたり点線や破線を用いたりして表示させるようにしてもよい。
【００３４】
＜階調補正の方法＞
次に、本実施の形態に係る階調補正の方法について、図４、図５及び図６を用いて説明する。
【００３５】
図４は、図２のステップＳ１０８で実行される階調補正処理の詳細を示すフローチャートである。図５（ａ），（ｂ）は、階調補正前後の再生拡大画像を示す図である。また、図６は、表示装置８のドライバ７に設定するＲ・Ｇ・Ｂ出力信号のＢｒｉｇｈｔレベルとＣｏｎｔｒａｓｔレベルを示す波形図である。
【００３６】
まずステップＳ２０１において、画像拡大領域の選択を行う。ここでは、図５（ａ）に示すような画像が選択されたものとする。次のステップＳ２０２では、選択された拡大画像内の最大輝度レベルの検出を行う。この場合、選択された拡大画像内の輝度データは、８ｂｉｔＤＡＴＡのＡ部：４０ｈｅｘ、Ｂ部：３８ｈｅｘ、Ｃ部：３０ｈｅｘ、Ｄ部：２８ｈｅｘ、Ｅ部：２０ｈｅｘである。したがって、Ａ部：４０ｈｅｘを抽出する。
【００３７】
次にステップＳ２０３において、選択された拡大画像内の最低輝度レベルの検出を行う。選択された拡大画像内の最低輝度データは、Ｅ部：２０ｈｅｘであるので、Ｅ部：２０ｈｅｘを抽出する。その後のステップＳ２０４において、階調演算の処理を行う。階調演算処理は、抽出した最大輝度データＡ部（：４０ｈｅｘ）を図５（ｂ）に示すようなＡａ部（：ＦＦｈｅｘ）に変換する。さらに、最低輝度データＥ部（：２０ｈｅｘ）を、図５（ｂ）のようなＥｅ部（：００ｈｅｘ）に変換する。
【００３８】
そして、ステップＳ２０５へ進み、表示装置８のドライバ７に次のような設定を行う。即ち、図６に示すように、各Ｒ・Ｇ・Ｂ出力信号のＢｒｉｇｈｔレベルとＣｏｎｔｒａｓｔレベルをそれぞれ、最大輝度レベル（ＦＦｈｅｘ）相当、最低輝度レベル（００ｈｅｘ）相当になるように変更する設定を行い、終了する。
【００３９】
なお、本実施の形態では、表示装置８のドライバ７の各Ｒ・Ｇ・Ｂ出力信号のＢｒｉｇｈｔレベルとＣｏｎｔｒａｓｔレベルをそれぞれ、最大輝度レベル（ＦＦｈｅｘ）相当、最低輝度レベル（００ｈｅｘ）相当になるように変更する設定を行っている。その他の方法としては、表示装置８のドライバ７に入力する画像データそのものを、図５（ｂ）に示すように、Ａａ部、Ｂｂ部、Ｃｃ部、Ｄｄ部、Ｅｅ部として入力をしても構わない。
【００４０】
＜第１の実施の形態の利点＞
本実施の形態によれば、指定領域内の拡大画像に対し階調補正を行い、階調補正された領域内画像のヒストグラムを表示することにより、指定領域内の画像に階調が残っているかどうかを視覚的なデータとして定量的にユーザに提供することができる。これにより、ユーザは撮影画像に階調性が残っているかどうかを容易に確認することができ、パソコンによる画像処理時や印刷時に画像の補正が可能かどうかを撮影直後に知ることが可能になる。
【００４１】
また、階調補正前と階調補正後のヒストグラムを表示させることで、より視認性の向上を図ることが可能になる。
【００４２】
［第２の実施の形態］
第２の実施の形態では、上述した、表示装置８に表示した拡大画像のヒストグラムから階調の有無を確認することが難しい場合には、ヒストグラムを拡大表示して拡大画像の階調の有無を確認し易くしたものである。
【００４３】
図７は、本発明の第２の実施の形態に係るデジタルカメラの再生モード時の処理を示すフローチャートである。図８（ａ）〜（ｄ）は、表示装置８に表示された再生画像とそのヒストグラムを示す画面図である。
【００４４】
第２の実施の形態のステップＳ３０１からステップＳ３０７までの処理は、上記第１の実施の形態の図２に示すステップＳ１０１からステップＳ１０７までの処理と同じである。
【００４５】
ユーザの操作を受けて、ステップＳ３０７においてシステム制御部４０が再生画像（図８（ａ）参照）の拡大画像のヒストグラムを表示装置８に表示させたら（図８（ｂ）参照）、ステップS３０８へ進む。ステップS３０８では、ユーザは前記表示したヒストグラムから拡大画像に階調が残っているかどうかの確認を行う。階調が残っていることが確認できる場合は、ユーザの操作により、システム制御部４０は、ステップＳ３１０において拡大画像の階調補正を行う。拡大画像の階調補正は第１の実施の形態と同様の方法で行う。
【００４６】
システム制御部４０は、拡大画像の階調補正を行ったら、ステップＳ３１２へ進んで階調補正後の拡大画像のヒストグラムを算出する。そして、最後にステップＳ３１３へ進んで、画像全体及び階調補正前後のヒストグラム（図８（ｄ）の５２）を表示装置８に表示する。
【００４７】
前記ステップＳ３０８において、ユーザが視覚的に前記ヒストグラムから階調の有無を確認することができない場合は、ステップＳ３０９へ進む。ステップＳ３０９では、拡大画像のヒストグラムの分布が確認し易くなるように、図８（ｂ）の点線４９に示すような任意の輝度範囲でヒストグラム５０を拡大表示する（拡大表示後は図８（ｃ）の５１）。
この拡大表示処理は、ユーザの操作により前記任意の輝度範囲を設定し、システム制御部４０がこれを受けて処理を実行する。このようにヒストグラムを拡大表示することにより、拡大画像の階調補正前に拡大画像の階調補正後のヒストグラムを確認することができる。
【００４８】
ヒストグラムを拡大表示したら、ステップＳ３１１へ進んで再度、拡大画像に階調が残っているかどうかの確認を行う。階調が残っている場合は、ステップＳ３１０へ進んで前記と同様の処理を行う。階調が残っていない場合は、ステップＳ３０５に戻り、画像の表示領域を変更して、ステップＳ３０６以降の処理を繰り返す。
【００４９】
なお、上記説明では、拡大画像のヒストグラムの拡大操作は、拡大画像の階調補正を行う前に行ったが、階調補正後に行ってもよい。この場合では、図７のフローチャートにおいて、ステップＳ３０８、ステップＳ３０９、及びステップＳ３１１の処理を除去する。そして、ステップＳ３１３の後に拡大画像のヒストグラムの拡大操作を実行する処理を追加し、その後に、ユーザは、階調の有無を確認する。
【００５０】
＜第２の実施の形態の利点＞
表示装置８に表示した拡大画像のヒストグラム（ステップＳ３０７）から階調の有無を確認することが難しい場合でも、ヒストグラムを拡大表示することにより、ユーザは視覚的に画像の階調の有無を確認し易くなる。
【００５１】
なお、本発明の目的は、前述した各実施の形態の機能を実現するソフトウェアのプログラムコードを記憶した記憶媒体をシステム或いは装置に供給し、そのシステム或いは装置のコンピュータが前記プログラムコードを読み出し実行することによっても達成される。
【００５２】
この場合、記憶媒体から読み出されたプログラムコード自体が前述した各実施の形態の機能を実現することになり、そのプログラムコード及び該プログラムコードを記憶した記憶媒体は本発明を構成することになる。
【００５３】
また、プログラムコードを供給するための記憶媒体としては、例えば次のようなものが挙げられる。即ち、フロッピー（登録商標）ディスク、ハードディスク、光磁気ディスク、ＣＤＲＯＭ、ＣＤＲ、ＣＤＲＷ、ＤＶＤＲＯＭ、ＤＶＤＲＡＭ、ＤＶＤＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【００５４】
また、本発明は、コンピュータが読み出したプログラムコードを実行することにより、前述した各実施の形態の機能が実現されるだけではない。そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【図面の簡単な説明】
【００５５】
【図１】実施の形態に係る画像再生装置の構成を示すブロック図である。
【図２】第１実施の形態に係るデジタルカメラの再生モード時の処理を示すフローチャートである。
【図３】表示装置に表示された再生画像とそのヒストグラムを示す画面図である。
【図４】図２のステップＳ１０８で実行される階調補正処理の詳細を示すフローチャートである。
【図５】階調補正前後の再生拡大画像を示す図である。
【図６】表示装置のドライバ７に設定するＲ・Ｇ・Ｂ出力信号のＢｒｉｇｈｔレベルとＣｏｎｔｒａｓｔレベルを示す波形図である。
【図７】第２の実施の形態に係るデジタルカメラの再生モード時の処理を示すフローチャートである。
【図８】表示装置に表示された再生画像とそのヒストグラムを示す画面図である。
【符号の説明】
【００５６】
１  バリア
２  撮影レンズ
３  シャッタ
４  撮像素子
５  Ａ／Ｄ変換器
６  画像処理回路
８  表示装置
９  不揮発性メモリ
１１  メモリ
１３  露光制御部
１４  フォーカス制御部
２６  操作部
４０  システム制御部
【図１】
2007295262.tif 000003
【図２】
2007295262.tif 000004
【図３】
2007295262.tif 000005
【図４】
2007295262.tif 000006
【図５】
2007295262.tif 000007
【図６】
2007295262.tif 000008
【図７】
2007295262.tif 000009
【図８】
2007295262.tif 000010